(57)【要約】【課題】手の両面に付着した水分を効率よく短時間に除去すると共に、清潔で誰もが安心して使用できる手乾燥装置を提供すること。【解決手段】箱体と、その箱体の使用者に対し、前面から上面にかけて開口した手挿入口と、この手挿入口の開口側近傍において挿入される手に対して掌側と甲側の両面に気体を吹出すために、箱体の左右にて縦長に形成された略相対面する気体吹出口と、前記開口左右方向の中央部より縦長に形成された相反する方向に気体を吹出す前記気体吹出口と、前記気体吹出口に対して手挿入口開口側と反対側に設けられ、前記気体吹出口からの吹出し風により吹飛ばされた水滴を受け止めるための水受部を備えた。【選択図】　図１
2004113615.tif 000002
【特許請求の範囲】
【請求項１】
箱体と、その箱体の使用者に対し、前面から上面にかけて開口した手挿入口と、この手挿入口の開口側近傍において挿入される手に対して掌側と甲側の両面に気体を吹出すために、箱体の左右にて縦長に形成された略相対面する気体吹出口と、前記手挿入口の開口側の中央部より縦長に形成された相反する方向に気体を吹出す気体吹出口と、前記手挿入口下方に設けられ、前記気体吹出口からの吹出し風により吹飛ばされた水滴を受け止めるための水受部を備えたことを特徴とする手乾燥装置。
【請求項２】
前記開口は、開口端面を奥側から使用者側に向かって円弧状に形成したことを特徴とする請求項１記載の手乾燥装置。
【請求項３】
前記手挿入口の開口側の中央部より縦長に形成された相反する方向に気体を吹出す前記気体吹出口は、前記水受部側から上部方向へ延出させるかまたは、使用者に対して開口奥側方向から使用者方向へ延出させて設けたことを特徴とする請求項１及び請求項２記載の手乾燥装置。
【請求項４】
前記気体吹出口は、挿入される手の軸線に対し、軸線と直交または使用者から離れる方向に気体を吹出すように設けられてなることを特徴とする請求項１乃至３記載の手乾燥装置。
【請求項５】
前記気体吹出口を小径の複数孔で構成したことを特徴とする請求項１乃至４記載の手乾燥装置。
【請求項６】
前記気体吹出口は、細形スリット開口により形成したことを特徴とする請求項１乃至４記載の手乾燥装置。
【請求項７】
前記気体吹出口は、掌側を細形スリット、手の甲側を小径の複数孔により形成したことを特徴とする請求項１乃至６記載の手乾燥装置。
【請求項８】
前記手挿入口の上面に透明の板を設けたことを特徴とする請求項１乃至７記載の手乾燥装置。
【請求項９】
前記手挿入部を照らす照明手段を備えていることを特徴とする請求項１乃至８記載の手乾燥装置。
【請求項１０】
前記照明手段は、前記手挿入口開口側に配設され、前記箱体の手前側から奥側に向かって照射されることを特徴とする請求項９記載の手乾燥装置。
【請求項１１】
前記箱体水受部下方の内部左右方向の中心位置に気体供給装置を備え、該気体吹出口に気体を供給することを特徴とする請求項１乃至１０記載の手乾燥装置。
【請求項１２】
前記気体吹出口に対して差し出された手を検出する手検出手段と、該手検出手段からの検出信号に基づいて前記気体供給装置の駆動を制御する制御部と、清掃時に操作する清掃用スイッチとを備え、前記制御部は、前記清掃用スイッチによる操作信号が入力されると、前記手検出手段による検出信号を所定時間無効にし、所定時間経過後は前記検出信号を有効にすべく制御してなることを特徴とする請求項１１記載の手乾燥装置。
【請求項１３】
前記清掃用スイッチは、前記所定時間内に再度操作信号が入力されると前記操作信号を有効にすることを特徴とする請求項１２記載の手乾燥装置。
【発明の詳細な説明】
【０００１】
【発明の属する技術分野】
本発明は、濡れた手に付着している水等を気体で吹き飛ばして乾燥させる手乾燥装置に関する。
【０００２】
【従来の技術】
従来、手乾燥装置として、装置本体に配設された高圧空気供給手段から供給された高圧空気を手挿入口近傍左右方向に設けられた空気吹出しノズルから吹出して、手挿入部に挿入された手の表と裏に付着した水滴を吹き飛ばし、手を乾燥させるものが知られている（例えば、特許文献１参照。）。
【０００３】
【特許文献１】
特開昭６３−１５４１３８号公報（第２−３項、第３図）
【０００４】
【発明が解決しようとする課題】
しかしながら、特開昭６３−１５４１３８号の構成では、手挿入口が狭く挿入した手が見えず閉そくした恐怖感がある。また、空気吹出しノズル等に手が接触し不衛生である。
【０００５】
さらに、設置高さ等が限定され、車椅子使用者や、子供には使用しにくいものである。
【０００６】
本発明は、上記課題を解決するためになされたもので、本発明の目的は、手の両面に付着した水分を効率よく短時間に除去すると共に、清潔で誰もが安心して使用できる手乾燥装置を提供することにある。
【０００７】
【課題を解決するための手段及びその作用・効果】
上記目的を達成するために本発明は、箱体と、その箱体の使用者に対し、前面から上面にかけて開口した手挿入口と、この手挿入口の開口側近傍において挿入される手に対して掌側と甲側の両面に気体を吹出すために、箱体の左右にて縦長に形成された略相対面する気体吹出口と、前記手挿入口の開口側の中央部より縦長に形成された相反する方向に気体を吹出す気体吹出口と、前記手挿入口下方に設けられ、前記気体吹出口からの吹出し風により吹飛ばされた水滴を受け止めるための水受部を備えたことを特徴としている。
【０００８】
この構成によれば、手挿入部に挿入された手に対して掌と手の甲の両側に同時に気体を当てることができるので、掌側と手の甲側同時に乾燥でき、手に付着した水分を効率よく除去することができると共に開放感のある手挿入口を提供でき、挿入した手が使用者に見えるので恐怖心や不快感を感じずに手を乾燥できるので安心して使用できる。
【０００９】
さらに、設置高さにより、健常者及び車椅子使用者や子供も手の挿入が容易に出来るので誰に対しても使い勝手の良い手乾燥装置を提供できる。
【００１０】
また、前記開口は、開口端面を奥側から使用者側に向かって円弧状に形成すれば、手を挿入しやすく開放感のある手乾燥装置を提供できる。
【００１１】
また、前記手挿入口の開口側の中央部より縦長に形成された相反する方向に気体を吹出す前記気体吹出口は、前記水受部側から上部方向へ延出させるかまたは、使用者に対して開口奥側方向から使用者方向へ延出させて設ければ、掌側と手の甲側同時に乾燥でき、手に付着した水分を効率よく除去することができる。
【００１２】
また、前記気体吹出口を、挿入される手の軸線に対し、軸線と直交または使用者から離れる方向に気体を吹出すように設ければ、気体吹出口から吹き出された気体や飛散した水等が使用者に当たって不快感を与えることがない。また、気体吹出口から吹き出された気体が手に沿って効率よく指先に流れ込るため、乾燥効率の向上が図れる。
【００１３】
また、前記気体吹出口を小径の複数孔で構成すれば、気体吹出口と手の距離が離れても必要な風速が得られるので手挿入口を広げることが出来気体吹出口等に挿入した手が接触するのを防止できる。
【００１４】
また、前記気体吹出口を、細形スリット開口により形成した構成にすれば、気体吹出口と手の距離が離れても必要な風速が得られるので手挿入口を広げることが出来気体吹出口等に挿入した手が接触するのを防止できる。
【００１５】
また、前記気体吹出口を、掌側を細形スリット、開口手の甲側を小径の複数孔により形成した構成にすれば、水分の多い掌側の風量が多くなり乾燥効率の向上が図れる。
【００１６】
また、前記手挿入口の上面に透明の板を設けた構成にすれば、飛散した水等が手乾燥装置外に飛び出すのを防止でき手乾燥装置廻りが清潔に保たれる。
【００１７】
また、前記手挿入部を照らす照明手段を備えた構成にすれば、手挿入部が明るくなり清潔感が有り安心して使用できる。
【００１８】
また、前記照明手段は、前記手挿入口開口側近傍に配設され、前記箱体の手前側から奥側に向かって照射される構成にすれば、照明手段が使用者に直接見にくくなり眩しさを防止できる。
【００１９】
また、前記箱体水受部下方の内部左右方向の中心位置に気体供給装置を備え、該気体吹出口に気体を供給する構成にすると、手乾燥装置がコンパクトになり設置、移動が簡単にスムーズに実施できる。
【００２０】
また、前記気体吹出口に対して差し出された手を検出する手検出手段と、該手検出手段からの検出信号に基づいて前記気体供給装置の駆動を制御する制御部と、清掃時に操作する清掃用スイッチとを備え、前記制御部は、前記清掃用スイッチによる操作信号が入力されると、前記手検出手段による検出信号を所定時間無効にし、所定時間経過後は検出信号を有効にすべく制御する構成にすれば、清掃時清掃用スイッチを操作することで手検出手段により手を検出しても、気体吹出口からの吹出し風が出るのを一時的に停止でき、所定時間経過後は前記手検出手段の検出信号に基づき気体吹出し口からの吹出し風が出るように出来るので清掃がスムーズに実施できる。
【００２１】
また、前記清掃用スイッチは、前記所定時間内に再度操作信号が入力されると前記操作信号を有効にする構成にすれば、所定時間内に清掃等が終了した場合、再度清掃スイッチを操作することで手検出手段により手を検出した場合、気体吹出し口から吹出し風が出るように出来る。
【００２２】
【発明の実施の形態】
以下に、本発明の実施の形態を添付図面に基づいて説明する。
【００２３】
図１は、本発明に係る手乾燥装置の第１の実施例を示す斜視図であり、図２は、本発明に係る手乾燥装置の第１の実施例を示す正面図である。
【００２４】
図１及び図２に示すように、手乾燥装置Ａは、箱体１の使用者に対応する前面上方部から上面全体にかけて開口した手挿入口２が設けられている。箱体１の手挿入口２が設けられた両側面部の開口端面を奥側から使用者側に向かって円弧状に形成している。また、この前面部の開口中央部に前面部下方から突出する縦長形状の仕切体３が形成されている。箱体１の手挿入口２が配設されたの左右の内側面には気体吹出口４ａが、仕切体３の両側面には気体吹出口４ｂが設けられている。
また、気体吹出口からの吹出し風により吹き飛ばされた水滴を受け止める水受部が手挿入口の開口側の下方に設けられている。
また、この水受部は、中央部が低くなるように円弧状に形成されている。
また、図示はないが、気体吹出し口に気体を供給する気体供給手段が設けられている。
【００２５】
以上のように構成された手乾燥装置の動作について、以下に説明する。
【００２６】
使用者が仕切体３を挟んで手挿入口２に両手を挿入すると、気体供給手段より気体が供給され、気体吹出口４ａから手の甲側に、４ｂより掌側に向けて、使用者から離れる方向に気体を吹出し、手に付着している水滴等を吹き飛ばして、手の乾燥が行われる。
【００２７】
そして、気体吹出口４ａ、４ｂから吹出された吹出し風および、吹出し風により吹き飛ばされた水滴等は、水受部５に向かい吹き飛ばされた水滴等は水受部５に集められる。
【００２８】
このように構成したことによって、手乾燥装置Ａを使用時、使用者が濡れた手を手挿入口２に挿入すると、挿入された手に対して気体吹出口４ｂから掌に、気体吹出口４ａから手の甲に同時に気体を当てることができるので、使用者自ら手を裏表に反復させることを繰り返すことなく、手に付着した水分を効率よく除去することができる。
【００２９】
また、箱体の前面から上面にかけて開口させ手挿入口を形成したことで、斜め上方から手を挿入することができるため挿入しやすく、挿入した手が使用者に見えるので恐怖心や不快感を感じずに手を乾燥出来るので安心して使用できる。
【００３０】
また、下方に設置した場合でも、上方が開口されているため手挿入範囲が広がり、健常者及び車椅子使用者や子供も手の挿入が容易に出来るので誰でも使用できる。
【００３１】
尚、今回は箱体前面部の開口中央部に前面部下方から突出する縦長形状の仕切体を形成し、この仕切体の両側面に配設された気体吹出口は、水受部側から上部方向へ延出させているが、使用者に対して開口奥側方向から使用者方向へ延出させて設けても良い。
【００３２】
図３は、本発明に係る手乾燥装置の第５の実施例を示す気体吹出口のの部分を示す側面図である。
【００３３】
図３に示すように、気体吹出口を小径の複数孔６で構成したものである。
【００３４】
このように構成すれば、気体吹出口と手の距離が離れても必要な風速が得られるので手挿入口を広げることが出来るので、手挿入口に挿入した手が接触するのを防止できる。
【００３５】
図４は、本発明に係る手乾燥装置の第６の実施例を示す気体吹出口の側面図である。
【００３６】
図４に示すように、気体吹出口を細型スリット７で構成したものである。
【００３７】
細型スリット７で構成した気体吹出口は、小径の複数孔６で構成したものより多少風速がおちるが、風量の必要なときに用いることができる。これにより、気体吹出口と手の距離が離れても必要な風量・風速が得られるので手挿入口を広げることが出来るので気体吹出口等に挿入した手が接触するのを防止できる。
【００３８】
尚、図示はしないが、気体吹出口４ｂを細型スリット７とし、気体吹出口４ａを小径の複数孔６とする構成すれば、水分の多い掌側の風量が多くなり乾燥効率の向上が図れる。
【００３９】
図５は、本発明に係る手乾燥装置の第８の実施例を示す斜視図である。
【００４０】
図５に示すように、手乾燥装置Ａ上面に透明の板８を設けたものである。
【００４１】
このように構成すると、飛散した水滴等が他乾燥装置Ａ外に飛び出すのを防止でき手乾燥装置Ａの廻りが清潔に保たれると共に、上面を覆ったとしても挿入した手が見えるため、使用者は安心して挿入することができる。
【００４２】
図６は、本発明に係る手乾燥装置の第９の実施例を示す断面図である。
【００４３】
図６に示すように、手乾燥装置Ａの手挿入部２を照らす照明手段９を、吹出口下の開口側近傍に設けたものである。
【００４４】
このように構成すると、手挿入部２が明るくなり清潔感が有り安心して使用できる。
【００４５】
さらに、照明手段９を手挿入口２開口側近傍に設たことで、手挿入部手前側から奥側に向かって照射されるため、照明手段が使用者に直接見えにくくなり眩しさを防止できる。
【００４６】
図７は、本発明に係る手乾燥装置の第１１の実施例を示す断面図である。
【００４７】
図７に示すように、箱体１の内部水受部５下部に気体吹出口４ａ及び４ｂに気体を供給する気体供給装置１０を備えた構成にしたものである。
【００４８】
このように構成すると、手乾燥装置をコンパクトに出るので設置、移動が簡単にスムーズに実施できる。
【００４９】
図８は、本発明に係る手乾燥装置の第１２及び１３の実施例を示す斜視図である。
【００５０】
図８に示すように、気体吹出口４ａ及び、４ｂに差し出された手を検出する手検出手段１１と、図示はないが手検出手段１１からの検出信号に基づいて気体供給装置１０の駆動を制御する制御部と、清掃時に操作する清掃用スイッチ１２を備えた構成にしたものである。
【００５１】
このように構成すると、清掃時清掃用スイッチ１２を操作することで所定時間手検出手段１１により手を検出しても、気体吹出し口４ａ及び４ｂからの吹出し風が出るのを一時的に停止でき所定時間が経過すれば、手検出手段１１からの検出信号に基づき気体吹出し口４ａ及び４ｂからの吹出し風を出せるように出来るので清掃がスムーズに実施できる。
【００５２】
また、所定時間内に清掃等が終了した場合、再度清掃スイッチ１２を操作することで手検出手段１１により手を検出した場合、気体吹出し口４ａ及び４ｂからのから吹出し風が出るように出来るので使い勝手が良くなる。
【図面の簡単な説明】
【図１】本発明に係る手乾燥装置の第１の実施例を示す斜視図である。
【図２】本発明に係る手乾燥装置の第１の実施例を示す正面図である。
【図３】本発明に係る手乾燥装置の第５の実施例を示す側面図である。
【図４】本発明に係る手乾燥装置の第６の実施例を示す側面図である。
【図５】本発明に係る手乾燥装置の第８の実施例を示す斜視図である。
【図６】本発明に係る手乾燥装置の第９の実施例を示す側面図である。
【図７】本発明に係る手乾燥装置の第１３の実施例を示す側面図である。
【図８】本発明に係る手乾燥装置の第１４及び第１５の実施例を示す斜視図である。
【符号の説明】
Ａ・・・手乾燥装置
１・・・箱体
２・・・手挿入口
３・・・仕切体
４ａ・・・手の甲側の気体吹出口
４ｂ・・・掌側の気体吹出口
５・・・水受部
６・・・小径の複数孔
７・・・細型スリット
８・・・透明な板
９・・・照明手段
１０・・・気体供給装置
１１・・・手検出手段
１２・・・掃除用スイッチ
【図１】
2004113615.tif 000003
【図２】
2004113615.tif 000004
【図３】
2004113615.tif 000005
【図４】
2004113615.tif 000006
【図５】
2004113615.tif 000007
【図６】
2004113615.tif 000008
【図７】
2004113615.tif 000009
【図８】
2004113615.tif 000010